(57)【要約】      （修正有）【課題】消費者の嗅覚に働きかけるＰＯＰ装置を提供する。【解決手段】排気口１０２を有する容器１０１と、前記容器内に香りを放出する芳香剤と、前記容器内の気体を前記排気口から排気させるファン１０４と、前記排気口の外側の物体を検出するセンサ１０５と、前記センサが物体を検出した場合に前記ファンを回転させる制御回路１０６と、を備えることを特徴とするＰＯＰ装置を提供する。【選択図】図１
0003141858.tif 000002
【実用新案登録請求の範囲】
【請求項１】
排気口を有する容器と、
前記容器内に香りを放出する芳香剤と、
前記容器内の気体を前記排気口から排気させるファンと、
前記排気口の外側の物体を検出するセンサと、
前記センサが物体を検出した場合に前記ファンを回転させる制御回路と、
を備えることを特徴とするＰＯＰ装置。
【請求項２】
前記容器は吸気口を有し、
前記容器の内側から前記吸気口を遮蔽する遮蔽板を更に備え、
前記遮蔽板は、前記容器内の気圧が前記容器外の気圧よりも低い場合に前記吸気口を開放するように移動するように設置される
ことを特徴とする請求項１に記載のＰＯＰ装置。
【考案の詳細な説明】
【技術分野】
【０００１】
本考案は、消費者の嗅覚に働きかけるＰＯＰ（Ｐｏｉｎｔ  Ｏｆ  Ｐｕｒｃｈａｓｅ）装置に関する。
【背景技術】
【０００２】
今日、商品の販売店において商品の紹介や宣伝などを行うために、商品の近辺にＰＯＰ（Ｐｏｉｎｔ  Ｏｆ  Ｐｕｒｃｈａｓｅ）と呼ばれる広告を設置することがしばしば行われている。消費者に対する訴求効果を高めるために、様々な工夫が行われている（例えば、特許文献１）。特許文献１によれば、ＰＯＰ広告板の視認性が向上する。
【特許文献１】特開２００５−２５０３１６号公報
【考案の開示】
【考案が解決しようとする課題】
【０００３】
消費者の購買意欲を更に掻き立てることができれば、市場でより多くの商品を販売可能になることが期待できる。
【０００４】
本考案はこのような状況に鑑みてなされたものであり、消費者の嗅覚に働きかけるＰＯＰ装置を提供することを目的とする。
【課題を解決するための手段】
【０００５】
上記課題を解決するために、本考案は、排気口を有する容器と、前記容器内に香りを放出する芳香剤と、前記容器内の気体を前記排気口から排気させるファンと、前記排気口の外側の物体を検出するセンサと、前記センサが物体を検出した場合に前記ファンを回転させる制御回路と、を備えることを特徴とするＰＯＰ装置を提供する。
【０００６】
なお、その他の本考案の特徴は、添付図面及び以下の考案を実施するための最良の形態における記載によって更に明らかになるものである。
【考案の効果】
【０００７】
以上の構成により、本考案によれば、消費者の嗅覚に働きかけるＰＯＰ装置を提供することが可能となる。
【考案を実施するための最良の形態】
【０００８】
図１は、本考案の実施例に係るＰＯＰ装置１００の概略斜視図である。
【０００９】
ＰＯＰ装置１００は、容器１０１をベースとする。容器１０１は、排気口１０２及び吸気口１０３を備え、排気口１０２及び吸気口１０３以外の部分は密閉されている。但し、図示しないが、容器１０１の一部（例えば、上面）は開閉可能に構成されており、ここを開けることにより容器１０１内のメンテナンス等を行うことができる。
【００１０】
ＰＯＰ装置１００はまた、容器１０１内の気体を排気口１０２から排気させるファン１０４を備える。ファン１０４は例えば、排気口１０２に接するように設置される。
【００１１】
ＰＯＰ装置１００はまた、センサ１０５及び制御回路１０６を備える。センサ１０５は例えば光センサであり、容器１０１の排気口１０２と同一の面に設置され、排気口１０２の外側の物体（例えば、人間）を検出する。制御回路１０６は、センサ１０５が物体を検出すると、ファン１０４を駆動して容器１０１内の気体の排気を行わせる。
【００１２】
ＰＯＰ装置１００はまた、吸気口１０３をほぼ密閉する遮蔽板１０７を備える。遮蔽板１０７の上辺は容器１０１に固定されているが、他の３辺は固定されていない。従って、容器１０１内の気体が排気され、容器１０１内の気圧が容器１０１外の気圧よりも低くなると、図２において矢印Ａで示すように遮蔽板１０７が吸気口１０３から離れ、吸気口１０３から外気が流入する。
【００１３】
容器１０１の内部には、香りを放出する芳香剤（例えば液体状の芳香剤）の入ったビン１０８が設置されている。ファン１０４が回転しない限り容器１０１はほぼ密閉状態にあるので、ビン１０８から放出された香りが容器１０１内に充満する。容器１０１内で香り成分が飽和すると、ビン１０８からの香りの放出がほぼ止まる。そのため、芳香剤の浪費が抑制される。また、芳香剤が揮発することにより容器１０１内の気圧が上昇すると、遮蔽板１０７が容器１０１に対してより強く押さえつけられるため、容器１０１の密閉性が向上する。
【００１４】
消費者である人間が排気口１０２の付近に来ると、センサ１０５が人間を検出し、制御回路１０６がファン１０４を駆動する。その結果、容器１０１内の気体が香り成分と共に排気口１０２から外部へと排気される。従って、人間は、容器１０１内に充満していた香りを嗅ぐことができる。
【００１５】
ビン１０８の中には、販売する商品との関係が深い香りを放出する芳香剤を入れることが好ましい。例えば、カレーを販売する場合はカレーの香り（匂い）を持つ芳香剤が使用される。そして、ＰＯＰ装置１００を、商品（カレー）の近辺に配置する。消費者がＰＯＰ装置１００の前、即ち商品の近くに来ると、消費者はカレーの香りを感じる。このようにして、ＰＯＰ装置１００は、消費者の嗅覚に働きかけ、購買意欲を高めることが期待できる。
【００１６】
図３は、本考案の実施例に係るＰＯＰ装置１００と好適に組み合わせ可能なＰＯＰ広告板３０１を示す図である。
【００１７】
ＰＯＰ広告板３０１は、容器１０１の排気口１０２が存在する面とほぼ同じ大きさである。ＰＯＰ広告板３０１は、排気口１０２に対応する位置に排気口１０２とほぼ同じ大きさのフィルタ３０２を備える。また、ＰＯＰ広告板３０１には、販売する商品を紹介したり宣伝したりする文字や絵などが描かれている。
【００１８】
これにより、従来の視覚に働きかけるＰＯＰ広告板の効果も併せて得ることができる。即ち、ＰＯＰ装置１００をＰＯＰ広告板３０１と組み合わせて使用すると、消費者の視覚と嗅覚の両方に働きかけることができる。また、フィルタ３０２は、容器１０１の密閉性を高めることができる。
【００１９】
以上説明したように、本考案によれば、ＰＯＰ装置１００は、ビン１０８内の芳香剤から放出された香りを容器１０１内に蓄える。センサ１０５が消費者を検出すると、ファン１０４が回転し、容器１０１内の気体を香りと共に排気口１０２から排気する。
【００２０】
これにより、ＰＯＰ装置１００は、消費者の嗅覚に働きかけることができる。
【図面の簡単な説明】
【００２１】
【図１】本考案の実施例に係るＰＯＰ装置の概略斜視図である。
【図２】本考案の実施例に係るＰＯＰ装置の吸気口付近に関する、図１のａ−ａ断面図である。
【図３】本考案の実施例に係るＰＯＰ装置と好適に組み合わせ可能なＰＯＰ広告板を示す図である。
【符号の説明】
【００２２】
１０１  容器
１０２  排気口
１０３  吸気口
１０４  ファン
１０５  センサ
１０６  制御回路
１０７  遮蔽板
１０８  ビン
【図１】
0003141858.tif 000003
【図２】
0003141858.tif 000004
【図３】
0003141858.tif 000005